(57)【要約】      （修正有）【課題】暗所でも使用可能なガス採取器を提供する。【解決手段】ガス採取器１０に発光素子１３を設け、暗所で測定を行なう場合、検知管の変色部分を発光素子１３で照らし、目盛を読む。サンプルガス採取中に発光素子１３が点灯するようにすると、明所では突起２１を確認し、暗所では発光素子１３の消灯を確認することで、サンプルガスの吸引が終了したことが分かる。【選択図】図１
2008190927.tif 000002
【特許請求の範囲】
【請求項１】
装置本体と、
前記装置本体内に設けられたシリンダとピストンと、
一端が前記シリンダの先端に位置し、他端が前記装置本体の外部に露出された吸引口と、
前記装置本体に設けられた発光素子と、
前記発光素子を点灯させるスイッチとを有するガス採取器。
【請求項２】
前記発光素子の背面には、反射鏡が設けられた請求項１記載のガス採取器。
【請求項３】
前記装置本体には、前記シリンダ内の圧力が低下している間導通し、前記発光素子を点灯させるマイクロスイッチが設けられた請求項１または請求項２のいずれか１項記載のガス採取器。
【発明の詳細な説明】
【技術分野】
【０００１】
本発明はガス採取器の技術分野に係り、特に、明所でも暗所でも使用できるガス採取器に関する。
【背景技術】
【０００２】
検知管とガス採取器を用いたガス検出装置は小型、軽量であることから、屋外での簡便なガス検出方法として広く用いられている。
【０００３】
図１０の符号１００はガス検出装置を示しており、ガス採取器１１０と検知管１３０を有している。
検知管１３０は、目盛りが刻まれたガラス管と、その内部に充填された呈色剤で構成されており、ガラス管の両端が切断された状態で、ガス採取器１１０の装置本体１１５の先端に挿入されている。
検知管１３０の先端をサンプルガス雰囲気中に挿入し、ガス採取器１１０内部を負圧にすると、サンプルガスは、検知管１３０を通ってガス採取器１１０の内部に吸引される。
【０００４】
呈色剤は、サンプルガス中に含まれる検出対象ガスと反応する反応物質と、反応によって生じた反応生成物で変色する変色物質とで構成されており、サンプルガスが検知管１３０の内部を通過すると、変色物質は、検知管１３０の先端から変色しはじめ、サンプルガスの通過量、即ち、ガス濃度に応じた長さの変色物質が変色し、呈色剤が呈色する。ガス採取器１１０のサンプルガス吸引量は一定であり、検知管１３０をガス採取器１１０から抜去し、検知管１３０上の呈色部分と未反応部分の境界が位置する目盛を読むと、サンプルガス中の検出対象ガスの濃度を知ることができる。
【０００５】
なお、符号１２１はガス採取器１１０の筺体に設けられたインジケータ（突起）であり、通常は筺体から突出しているが、ガス採取器１１０内部が負圧になると、インジケータ１２１は筺体内部に吸引され、隠れるように構成されており、従って、サンプルガスの吸引中はインジケータ１２１を監視していると、吸引が終了したかどうかが分かる。
【０００６】
ガス採取器１１０は簡単に運搬できる重さであり、検出対象ガスが発生している場所で濃度を測定できることから、呼気中のアルコール濃度の検出や、工場等の環境試験にも使用されている。
検知管は、例えば下記文献に記載されている。
【特許文献１】特開２００４−８５５２５号公報
【発明の開示】
【発明が解決しようとする課題】
【０００７】
検知管は数ミリの太さであり、その表面に形成された目盛は細かな字で描かれている。夜間等、暗所にて濃度測定を行なう場合は検知管を持って明所に移動するか、検知管にライトから光を照射しないと読み取ることができない。
【０００８】
また、インジケータ１２１は明所では容易に視認できるものの、暗所では吸引されているか否かの判別が困難であり、サンプルガスの吸引終了前に検知管を抜き取る危険性がある。
本発明は、上記従来技術の課題を解決するために創作されたものであり、暗所にてもガス検知が可能なガス採取器である。
【課題を解決するための手段】
【０００９】
上記課題を解決するため、本発明は、装置本体と、前記装置本体内に設けられたシリンダとピストンと、一端が前記シリンダの先端に位置し、他端が前記装置本体の外部に露出された吸引口と、前記装置本体に設けられた発光素子と、前記発光素子を点灯させるスイッチとを有するガス採取器である。
また、本発明は、前記発光素子の背面には、反射鏡が設けられたガス採取器である。
また、本発明は、前記装置本体には、前記シリンダ内の圧力が低下している間導通し、前記発光素子を点灯させるマイクロスイッチが設けられたガス採取器である。
【発明の効果】
【００１０】
暗所でも目盛を読むことができるので、作業性がよい。暗所でもサンプルガスの吸入終了を明確に知ることができる。要するに、本発明のガス採取器は、暗所でも使用することができる。
【発明を実施するための最良の形態】
【００１１】
図１は、本発明の一例のガス採取器１０の側面図である。
このガス採取器１０は、筺体である装置本体１１を有しており、その先端には突出部１６が設けられている。装置本体１１は、わずかに表面が湾曲した円筒形である。
図３は、装置本体１１の先端の正面図である。装置本体１１の先端には突出部１６が設けられている。突出部１６には、吸引口１７が形成されている。
【００１２】
図６、図７は、ガス採取器１０の内部状態を説明するための断面図であり、装置本体１１の内部には、シリンダ２３が設けられ、シリンダ２３の内部には、ピストン２４が配置されている。ピストン２４にはロッド１２が設けられており、ロッド１２の先端は、装置本体１１の後端から突き出されている。
図６は、ピストン２４が、シリンダ２３の先端に当接された状態であり、図７は、その状態からロッド１２が引かれ、シリンダ２３の内部の先端部分とピストン２４との間が離間した状態である。
【００１３】
シリンダ２３の内部の先端部分とピストン２４との間の空間を吸引空間２７とすると、突出部１６に設けられた吸引口１７は、シリンダ２３の内部とシリンダ２３内壁の先端部分で吸引空間２７に接続されており、従って、吸引空間２７は吸引口１７と接続されている。
ピストン２４を、シリンダ２３の先端部分に当接させた後、ロッド１２の端部を把持して引くと、吸引空間２７の体積が増大し、吸引口１７からシリンダ２３内部に気体が吸引される。
【００１４】
図２はロッド１２を引いた状態を示している。
装置本体１１の先端には、発光素子１３と、突起(インジケータ)２１が設けられている。
突起２１は、装置本体１１の外部雰囲気の圧力と、吸引空間２７の圧力の差圧によって移動するように構成されており、差圧がゼロのとき(及び、吸引空間２７の圧力が外部雰囲気の圧力よりも高いとき)は、突起２１は、装置本体１１の表面から突出されている。
【００１５】
逆に吸引空間２７の圧力が外部雰囲気よりも低いときには突起２１は装置本体１１の内部に吸引され、装置本体１１内に収容される。このとき、突起２１は隠れ、外部から見えないようになる。
気体を吸引しているときは、吸引空間２７の圧力は外部雰囲気の圧力よりも低くなっており、従って、突起２１は装置本体１１内に収容され、吸引が終了すると差圧が無くなり、突起２１は装置本体１１から突出する。
【００１６】
装置本体１１の先端には、突起２１の近くに発光素子１３が設けられている。装置本体１１の内部には、不図示の電池とマイクロスイッチが設けられており、突起２１が装置本体１１内部に収容される差圧が生じる間、マイクロスイッチが導通し、発光素子１３が電池に接続され、発光素子１３が点灯される。
【００１７】
ロッド１２が伸びきり、それ以上引けない状態になると、気体の吸引は終了し、突起２１が元の位置(装置本体１１の先端から突き出される位置)に復帰すると共に、発光素子１３は消灯する。
従って、暗所に於いて突起２１が見えない場合でも、発光素子１３の点灯と消灯により、気体を吸引中であることと、吸引が終了したことが分かる。
【００１８】
また、装置本体１１の先端に近い側面には、マイクロスイッチとは別のスイッチ１４が設けられており、スイッチ１４を押圧すると、発光素子１３が電池に接続され、発光素子１３が点灯する(スイッチ１４は押圧式に限定されるものではなく、スライド式など、他の方式であってもよい)。
【００１９】
なお、装置本体１１の先端には透明カバー１５が設けられており、発光素子１３と突起２１は、透明カバー１５で覆われ、人体や他の機器に接触しないようになっている。突出部１６は、透明カバー１５に設けられた孔から透明カバー１５の表面に突き出され、後述する検知管３０ｂを挿入できるように構成されている。
【００２０】
図４(ａ)の符号３０ａは、本発明のガス採取器１０に使用できる封止状態の検知管を示している。
この検知管３０ａは、透明なガラスから成る透明管３１を有しており、内部には、微粒子に付着された状態の呈色剤３５が充填されている。呈色剤３５は、検出対象ガスが接触すると呈色する薬剤であり、呈色剤３５は、検出対象ガスと反応する反応物質と、その反応によって生成された反応生成物で変色する変色物質とで構成することができる。
装置本体１１の後端に近い位置には、オープナー２２が設けられており、オープナー２２の孔内に検知管３０ａの先端を入れ、後端を押すと、先端が折られ、開口が形成される。
【００２１】
図４(ｂ)の符号３０ｂは、両端が折られた状態の検知管を示しており、両端に開口３７、３８が形成されている。呈色剤３５はフィルタ３２、３３によって挟まれており、開口３７、３８から呈色剤３５がこぼれ出ることはない。
両端の開口３７、３８のうち、目盛３４の数字の小さい方の開口３７が、サンプルガスの入口であり、その反対側の開口３８が出口であり、図８に示すように、先ず、ピストン２４をシリンダ２３の先端に押しつけた状態にし、検知管３０ｂの出口側の開口３８が形成された先端を吸引口１７に挿入し、入口側の開口３７が形成された先端を、突出部１６から突き出させておく。
【００２２】
検知管３０ｂの開口３８の周囲は吸引口１７の内壁面と密着しており、入口側の開口３７をサンプルガス中に挿入し、ロッド１２を引くと負圧の吸引空間２７が形成され、サンプルガスは入口側の開口３７から吸引され、検知管３０ｂ内部を通って、吸引空間２７に流入する。
【００２３】
透明管３１の呈色剤３５の真上位置には目盛３４が配置されている。
呈色剤３５中に含まれる反応物質はサンプルガス中に含まれる検出対象ガスと反応するものが選択されており、サンプルガスが検知管３０ｂの内部に導入されると、反応物質は検出対象ガスと反応し、発生した反応生成物で変色物質が変色する。
【００２４】
サンプルガスは検知管３０ｂの内部を通過し、装置本体１１の内部に吸引される。サンプルガスは、検知管３０ｂの入口側の開口３７が上流、反対側の開口３８が下流となり、変色物質は上流側から下流側に向けて変色する。
【００２５】
図８に示すようなピストン２４がシリンダ２３の内面の先端に当接した状態から、定位置までロッド１２を引く場合、サンプルガスの吸引量は一定値になる。
吸引量が一定値の場合、変色物質の変色量、即ち、変色した領域の長さは、サンプルガス中の検出対象ガスの濃度に応じた値となる。
なお、図９は、ロッド１２を最大限引いた場合を示しており、この状態まで引くときがサンプルガスの吸引量は最大値になる。
【００２６】
突出部１６の吸引状態が解除され、装置本体１１から突出したのを確認するか、又は、暗所では、発光素子１３の点灯が終了したのを確認することにより、サンプルガスの吸引が終了したの確認した後、検知管３０ｂを装置本体１１から抜去し、検知管３０ｂ上の呈色部分と未反応部分の境界が位置する目盛３４を読むと、サンプルガス中の検出対象ガスの濃度を知ることができる。
なお、検知管３０ｂ上の呈色部分と未反応部分の境界の位置する目盛り３４を読む場合には、検知管３０ｂを装置本体１１から抜去せずとも確認することもできる。
【００２７】
夜間等の暗所の場合、スイッチ１４を指等で押下すると発光素子１３が点灯し、目盛３４を読むことができる。スイッチ１４は指を離すと元の位置に復帰し、発光素子１３は消灯する。
発光素子１３が設けられた装置本体１１の先端は鏡面になっており、発光素子１３から発生し、装置本体１１側に照射された光は鏡面で反射され、照射対象物である検知管３０ｂを明るく照らすようになっている。
【００２８】
下記表１は、明所で検知管３０ｂを観察したときの値と、暗所で観察したときの値の比較結果である。
【００２９】
【表１】
2008190927.tif 000003
【００３０】
上記表１に記載した値は、５人が観察した値の平均値であり、暗所でＬＥＤ（発光素子１３）点灯時の値と、明所の観察した時の値の差は±１０％以下であり、暗所点灯時と、明所とでは有意差が見られるほどの差はない。
【００３１】
なお、有意差検定は一元分散分析法にて行い、危険率ｐが０．１未満において有意差がみられなかった。ｐ＜０．１とは偶然にこのような差が出てしまう確率が１０％未満であるということを意味する。
なお、上記実施例ではサンプルガス吸引時に発光素子１３が自動点灯したが、吸引時に点灯せず、スイッチ１４押下時にだけ点灯するガス採取器も本発明に含まれる。
【００３２】
上記発光素子１３はＬＥＤであったが、本発明はそれに限定されるものではない。また、発光素子１３の取りつけ位置は、装置本体１１の先端に限定されるものではなく、側面や底面の他、ロッド１２に取り付けてもよい。スイッチ１４についても同様であり、側面に限定されるものではない。
【図面の簡単な説明】
【００３３】
【図１】本発明のガス採取器を説明するための側面図(１)
【図２】本発明のガス採取器を説明するための側面図(２)
【図３】本発明のガス採取器を説明するための正面図
【図４】ガス検知管を説明するための図  (ａ)：封止された状態、(ｂ)：両端が開けられた状態
【図５】呈色剤の呈色部分を説明するための図
【図６】ガス採取器の内部を示す概略断面図(１)
【図７】ガス採取器の内部を示す概略断面図(２)
【図８】ガス採取器の内部状態を説明するための概略断面図(１)
【図９】ガス採取器の内部状態を説明するための概略断面図(２)
【図１０】従来技術のガス採取器を説明するための図
【符号の説明】
【００３４】
１０……ガス採取器
１１……装置本体
１３……発光素子
１４……スイッチ
１７……吸引口
２３……シリンダ
２４……ピストン
３０ａ、３０ｂ……検知管
【図１】
2008190927.tif 000004
【図２】
2008190927.tif 000005
【図３】
2008190927.tif 000006
【図４】
2008190927.tif 000007
【図５】
2008190927.tif 000008
【図６】
2008190927.tif 000009
【図７】
2008190927.tif 000010
【図８】
2008190927.tif 000011
【図９】
2008190927.tif 000012
【図１０】
2008190927.tif 000013